(57)【要約】【課題】  セーフティワイヤ及びフックロッド又はセーフティレールの下端からの雨垂れ等の水が鉄塔の主材の外面上に滴下してその亜鉛メッキされた外面が浸食されて発錆が生ずるのを防止する。【解決手段】  セーフティワイヤ６及びフックロッド９を伝わって垂下してきた雨垂れ等の水に対し、浸食防止用器具１１の受け部１２よりそれ以上の垂下を遮えぎると共に、この受け部１２の底面１３上を開口部１７側に逃がして、更に舌部１８の先端から風等を利用して飛散させることで、この雨水等の水が鉄塔１の主材２の外面に滴下するのを回避する。【選択図】  図３
2006009442.tif 000002
【特許請求の範囲】
【請求項１】
屋外設置型金属製建造物の外面に沿って配された線状体に取り付けられ且つ前記線状体が挿通可能な通孔を有する底部を少なくとも有する受け部と、この受け部の底部の縁部から外側に且つ当該受け部の底部よりも下方に向けて延出した舌部を少なくとも有する排水部とで構成されることを特徴とする屋外設置型金属製建造物の浸食防止用器具。
【請求項２】
屋外設置型金属製建造物の外面に沿って配された線状体に装着される器具のうち最下側に存するものよりも上位に配置されて、前記線状体が挿通可能な通孔を有する底部及びこの底部の周縁より上方に向けて延出した側部から成る受け部と、この受け部の側部に開口部を設け、この開口部から外側に且つ前記受け部の底部よりも下方に向けて延出した舌部から成る排水部とから構成されることを特徴とする屋外設置型金属製建造物の浸食防止用器具。
【請求項３】
屋外設置型金属製建造物の外面に沿って配された線状体に装着される器具のうち最下側に存するものよりも下位に配置されて、前記線状体が挿通可能な通孔を有する底部及びこの底部の周縁より上方に向けて延出した側部から成る受け部と、前記受け部の側部とは反対側となる前記底部の周縁から外側に且つ当該受け部の底部よりも下方に向けて延出した舌部を有する排水部とから構成されることを特徴とする屋外設置型金属製建造物の浸食防止用器具。
【請求項４】
屋外設置型金属製建造物の主材の外面に沿って配された線状体に装着される器具のうち最下側に存するものに取り付けられ、前記線状体の下端から滴下した水を受け止めて前記主材に対し鉛直方向よりも外側に向けてその水を流す排水部を少なくとも有して構成されることを特徴とする屋外設置型金属製建造物の浸食防止用器具。
【請求項５】
屋外設置型金属製建造物の外面に沿って配された線状体に装着される器具のうち最下側に存するものに取り付けられ、前記線状体の下端から滴下した水を受け止めて主材に対し鉛直方向よりも外側に向けてその水を流す排水部と、この排水部の基端側と連接し前記線状体を配するための器具に係合するためのスリット孔を有する立板部とから構成されることを特徴とする屋外設置型金属製建造物の浸食防止用器具。
【請求項６】
屋外設置型金属製建造物の外面に沿って配された線状体に装着される器具のうち最下側に存するものに取り付けられ、前記線状体の下端から滴下した水を受け止めて主材に対し鉛直方向よりも外側に向けてその水を流す排水部と、この排水部の基端側と連接して前記線状体を配するための器具側に延出した立板部と、この立板部に設けられて前記線状体を配するための器具に外挿可能なキャップ部とから構成されることを特徴とする屋外設置型金属製建造物の浸食防止用器具。
【請求項７】
屋外設置型金属製建造物の外面に沿って配された線状体に装着される器具のうち最下側に存するものに取り付けられ、前記線状体の下端から滴下した水を受け止めて主材に対し鉛直方向よりも外側に向けてその水を流す排水部と、前記線状体を配するための器具と線状体とを固定するための固定具を兼用して当該器具に取り付けられる支持部とから構成されることを特徴とする屋外設置型金属製建造物の浸食防止用器具。
【請求項８】
前記底面に対しその通孔を経るように分割されてなる２つの分割部品から構成されていることを特徴する請求項１から３のいずれかに記載の屋外設置型金属製建造物の浸食防止用器具。
【請求項９】
前記線状体を軸心として回転可能であることを特徴とする請求項１、２又は８に記載の屋外設置型金属製建造物の浸食防止用器具。
【発明の詳細な説明】
【技術分野】
【０００１】
この発明は、例えば送電線鉄塔等、屋外に設置される型式の金属製建造物の外面がワイヤ、レール等の線状体を伝ってきた雨垂れ水等により浸食するのを防止する器具に関するものである。
【０００２】
この種の送電線を架け渡すための送電鉄塔は、直接的に雨雪に晒されることから、主材内部における防食、防錆のために、主材に対し鉄塔頂部から絶えず乾燥空気を送りこみ当該主材内部を乾燥状態にする方法及び装置は既に公知となっている（例えば、特許文献１を参照。）。また、送電鉄塔の外面は、防錆用に塗装やメッキを施されるのが通常である（例えば、特許文献２を参照。）。更に、雨水等が所定の場所に流れ込むのを所定の方向に逃がすことにより防止して防食、防錆を図る防水構造も既に公知となっている（例えば、特許文献３を参照。）。
【特許文献１】特開２００２−２４２３３２号公報
【特許文献２】特開平９−２５３８７６号公報
【特許文献３】特開２００３−２３７５４４号公報
【発明の開示】
【発明が解決しようとする課題】
【０００３】
しかし、この種の送電鉄塔は、安全設備の一つとして作業時の転落防止のために主材の外面に沿って作業員墜落防止用の安全設備であるセーフティワイヤ（安全ロープ等とも言う。）又はセーフティレールを送電鉄塔の頂部側から主材などの部材に沿って地面側に向けて張設又は設置されているところ、このセーフティワイヤを常設する場合には、図１の（１）の破線状矢印のように雨水等の水がセーフティワイヤ６からこのセーフティワイヤ６を張設するための固定手段（フックロッド９）を伝わって主材の一定範囲部分Ａの外面上に滴下する。この現象はセーフティレールを設置した場合においても同様に生ずる。
【０００４】
このため、送電鉄塔の主材等の構成部材の外面に塗装やメッキ加工しても、主材の一定範囲部分Ａでは、当該メッキ層・塗装皮膜層が浸食されて主材の芯材部位まで錆びる等の不具合がある。この不具合を回避するには送電鉄塔のうちのセーフティワイヤ（若しくはセーフティレール）の雨垂れ滴下部位（図１の主材の一定範囲部分Ａ）の塗装時期を早くする必要があるので、送電鉄塔の雨垂れ滴下部位以外の全体との間に塗装時期のずれが生じて、送電鉄塔の全体塗装ができず必要に応じた部分塗装を施さなければならないという不都合が生ずる。
【０００５】
そして、上記特許文献１に示すように乾燥空気を吹き付けることで送電鉄塔の雨垂れ滴下部位の乾燥状態を常に維持することは、送電鉄塔の雨垂れ滴下部位の外面が外気に露出した状態にあるのでほぼ不可能である。また、上記特許文献２に示すような送電鉄塔の構成部材に生じた錆を塗り直す以外で事後的に除去する方法も、レーザー発生装置の使用など、設備が大掛かりで費用対効果において優れているとは言えない。
【０００６】
一方、上記特許文献３は、雨天走行時や洗車時に水を所定の方向に逃がして、当該水がワイパピボット装置のリングジョイント部に流れ込むのを有効に防止するためのみの防水構造であって、送電鉄塔の主材の一定範囲部分の外面上に雨水が線状体を伝わって滴下するのを防止するための構造としてそのまま応用することができず、新たな着想の提供が必要である。
【０００７】
そこで、本発明は、線状体の下端からの雨垂れ等の水が金属製の構成部材の外面に滴下して当該構成部材の外面が浸食されて錆びるのを防止する屋外設置型金属製建造物の浸食防止用器具を提供することを目的とするものである。
【課題を解決するための手段】
【０００８】
本発明に係る屋外設置型金属製建造物の浸食防止用器具は、屋外設置型金属製建造物の外面に沿って配された線状体に取り付けられ且つ前記線状体が挿通可能な通孔を有する底部を少なくとも有する受け部と、この受け部の底部の縁部から外側に且つ当該受け部の底部よりも下方に向けて延出した舌部を少なくとも有する排水部とで構成されることを特徴としている（請求項１）。より具体的には、屋外設置型金属製建造物の外面に沿って配された線状体に装着される器具のうち最下側に存するものよりも上位に配置されて、前記線状体が挿通可能な通孔を有する底部及びこの底部の周縁より上方に向けて延出した側部から成る受け部と、この受け部の側部に開口部を設け、この開口部から外側に且つ前記受け部の底部よりも下方に向けて延出した舌部から成る排水部とから構成されることを特徴としている（請求項２）。また、屋外設置型金属製建造物の外面に沿って配された線状体に装着される器具のうち最下側に存するものよりも下位に配置されて、前記線状体が挿通可能な通孔を有する底部及びこの底部の周縁より上方に向けて延出した側部から成る受け部と、前記受け部の側部とは反対側となる前記底部の周縁から外側に且つ当該受け部の底部よりも下方に向けて延出した舌部を有する排水部とから構成されることを特徴としている（請求項３）。この線状体としては、例えば金属製のセーフティワイヤ及びこのセーフティワイヤと連結されたフックロッド、並びにセーフティレールが挙げられる。屋外設置型金属製建造物としては、例えば送電鉄塔や、テレビ塔、携帯電話の中継アンテナ塔、その他の電波塔等が該当し、そして、浸食防止用器具は、例えばポリエチレン系の素材を用いて形成されている。
【０００９】
また、本発明に係る屋外設置型金属製建造物の浸食防止用器具は、屋外設置型金属製建造物の主材の外面に沿って配された線状体に装着される器具のうち最下側に存するものに取り付けられ、前記線状体の下端から滴下した水を受け止めて前記主材に対し鉛直方向よりも外側に向けてその水を流す排水部を少なくとも有して構成されることを特徴としている（請求項４）。より具体的には、屋外設置型金属製建造物の外面に沿って配された線状体に装着される器具のうち最下側に存するものに取り付けられ、前記線状体の下端から滴下した水を受け止めて主材に対し鉛直方向よりも外側に向けてその水を流す排水部と、この排水部の基端側と連接し前記線状体を配するための器具に係合するためのスリット孔を有する立板部とから構成されることを特徴としている（請求項５）。また、屋外設置型金属製建造物の外面に沿って配された線状体に装着される器具のうち最下側に存するものに取り付けられ、前記線状体の下端から滴下した水を受け止めて主材に対し鉛直方向よりも外側に向けてその水を流す排水部と、この排水部の基端側と連接して前記線状体を配するための器具側に延出した立板部と、この立板部に設けられて前記線状体を配するための器具に外挿可能なキャップ部とから構成されることを特徴としている（請求項６）。また、屋外設置型金属製建造物の外面に沿って配された線状体に装着される器具のうち最下側に存するものに取り付けられ、前記線状体の下端から滴下した水を受け止めて主材に対し鉛直方向よりも外側に向けてその水を流す排水部と、前記線状体を配するための器具と線状体とを固定するための固定具を兼用して当該器具に取り付けられる支持部とから構成されることを特徴としている（請求項７）。この線状体としても、例えば金属製のセーフティワイヤ及びこのセーフティワイヤと連結されたフックロッド、並びにセーフティレールが挙げられる。また、屋外設置型金属製建造物としても、例えば送電鉄塔や、テレビ塔、携帯電話の中継アンテナ塔、その他の電波塔等が該当する。浸食防止用器具も、例えばポリエチレン系の素材を用いて形成されている。
【００１０】
請求項１から３のいずれに記載の屋外設置型金属製建造物の浸食防止用器具は、前記底面に対しその通孔を経るように分割されてなる２つの分割部品から構成されていることを特徴としている（請求項８）。また、請求項２又は８に記載の前記屋外設置型金属製建造物の浸食防止用器具は、前記線状体を軸心として回転可能であることを特徴としている（請求項９）。
【発明の効果】
【００１１】
よって、これらの発明によれば、線状体を伝わってきた雨垂れ等の水が屋外設置型金属製建造物、特にその主材の外面上に落下してしまうことを回避することができ、その外面が浸食して錆びるのを防止することが可能である。
【００１２】
特に、請求項１から３に記載の発明によれば、線状体を伝わって垂下してきた雨垂れ等の水は、浸食防止用器具の底部によりそれ以上の線状体を伝わっての垂下が遮られ、この底部上に一時的に溜まった水は排水部側に流れて開口部より外側に突出した舌部を伝わりその先端から主材の外側に飛散するので、この排水が屋外設置型金属製建造物の主材の外面に落下してしまうことを回避することができ、当該主材の外面が浸食して錆びるのを防止することができる。また、受け部の側部や排水部の舌部等に「危険」「登るな」等の所定の注意を促す語句を表示することができる。
【００１３】
特に、請求項４から７に記載の発明によれば、線状体を伝わって垂下してきた雨垂れ等の水は、当該線状体の下端から滴下しても、受け部を兼ねる排水部により受け止められた後、主材に対し鉛直方向よりも外側に向けて流され、主材の外側に飛散するので、この排水が屋外設置型金属製建造物の主材の外面に落下してしまうことを回避することができ、当該主材の外面が浸食して錆びるのを防止することができる。そして、特に請求項５に記載の発明によれば、既に現地において設置が完了した屋外設置型金属製建造物であっても、スリット孔を線状体を張設するための部材に外挿することで浸食防止用器具を取り付けることが可能である。
【００１４】
特に、請求項８に記載の発明によれば、両端が金具等に固定されて張設された状態の線状体でも２つの分割部品として線状体を挟持して取り付けることができるので、既に現地において設置が完了した屋外設置型金属製建造物であっても請求項１から３のいずれかに記載の浸食防止用器具を取り付けることが可能である。また、浸食防止用器具が昇降や作業の邪魔となる場合には、この請求項１から３のいずれかに記載の浸食防止用器具を一時的に取り外すことも可能となる。
【００１５】
更に、請求項９に記載の発明によれば、線状体を軸心として請求項１から３に記載の浸食防止用器具が回転するので、排水部の向きを取り付け時に誤っても浸食防止用器具を回転して排水部の向きを修正することができる。また、側部や排水部の舌部等に前記所定の注意を促す語句を表示した場合に、３６０度の全方位でその表示を見せることも可能となる。
【発明を実施するための最良の形態】
【００１６】
以下、この発明の実施形態を図面により説明する。
【００１７】
図１において、屋外設置型金属製建造物の一例として、送電線を架け渡すための送電鉄塔１の特に基部側近傍部位が図示されている。但し、屋外設置型金属製建造物は、テレビ塔、携帯電話の中継アンテナ塔、その他の電波塔等であっても良い。上記送電鉄塔１は、例えばコンクリート製の台座２に当該送電鉄塔１の頂部まで達する金属製の主材３を設置し、この主材３間に金属製の支材４を架設しボルト５で締結することでその骨組みが構成されている。これらの主材３、支材４は、防錆用として例えば亜鉛メッキ等によるメッキ層がその外面に形成されている。
【００１８】
この主材３には、作業員の昇降時における安全設備としてセーフティワイヤ６が当該主材３の長手方向に沿って常に張設されている。このセーフティワイヤ６は、作業員が主材３に沿って昇降する際に、図示しない昇降器と称される金具を取り付け、この金具とロープで腰に付けた胴綱とを結び付けて、作業員の墜落を防止するためのものである。セーフティワイヤ６の最下端側は、この実施形態では、主材３にワイヤ７で締結されたブラケット８に対しその上下方向に延出するように設けられた細長いフックロッド９のリング状の頭部９ａに連結されている。
【００１９】
そして、この発明に係る浸食防止用器具１１が、図１に示されるように、ブラケット８に対し上方となる位置でフックロッド９に装着されている。この浸食防止用器具１１は、例えば厚さ３ｍｍのポリエチレン系の素材を用いて形成されているもので、図２及び図３に示されるように、底部１３と、この底部１３の周縁から上方に向けて延出した側部１４とで構成された受け部１２及び、受け部１２で受けた雨垂れ等の水を外部に排水するための排水部１５から成っている。尚、底部１３の最大径方向寸法は、例えば１３０ｍｍである。また、側部１４の底部１３からの高さは、受け部１２に一時的に溜まった雨水等が側部１４より溢れない寸法、例えば４０ｍｍの寸法が採られている。
【００２０】
受け部１２の底部１３は、受けた雨垂れ等の水が排水部１５側に自然に流れるように、排水部１５と反対側が他の底部１３よりも相対的に高い位置から中心に向うに従い当該底部１３まで下がる斜面１３ａとなっていると共に、この底部１３の中心部位にフックロッド９の挿通可能な内径を有する通孔１６が形成されている。但し、セーフティワイヤ６の張設をするための器具によっては、セーフティワイヤ６を通孔１６に挿通させる場合もある。そして、通孔１６の内径寸法は、フックロッド９の外径又はセーフティワイヤ６の外径よりも若干大きく採ることで、これらのフックロッド９又はセーフティワイヤ６と浸食防止用器具１１とが遊嵌されるようにしても良い。これにより、浸食防止用器具１１がフックロッド９又はセーフティワイヤ６を軸心として回転することが可能となる。
【００２１】
排水部１５は、図２及び図３に示されるように、底部１３の傾斜部１３ａと反対側部位を欠けさせ、この底部１３の欠けた部位に対応して側部１４に開口した開口部１７と、前記底部１３の欠けた部位から連続して開口部１７の外側に延出した舌部１８と、この舌部１８の両側縁に添って延びるガイド部１９とで構成されている。舌部１８は、その先端が、受け部１２の底部１３よりも下方になるように延出したものとなっている。
【００２２】
そして、上記の構成の浸食防止用器具１１の組み付けを説明すると、図３に示されるように、予めブラケット８に取り付けられたフックロッド９（或いはセーフティワイヤ６）に対し、中間部材２２を外挿した後、通孔１６を介して外挿し、最後に固定具２３、２４、２５、２６、２７を外挿しつつ、これらの固定具２３、２４と固定具２５、２６、２７とで挟持することで固定される。尚、フックロッド９の外側周面と浸食防止用器具１１の通孔１６の内側周面との間に若干の隙間を有していても、固定具２３、２４によりその隙間の開口部位が閉塞されているので、この隙間に雨垂れ等の水が浸入して浸食防止用器具１１より下方に垂下することは回避される。
【００２３】
以上によれば、セーフティワイヤ６及びフックロッド９を伝わって垂下してきた雨垂れ等の水は、浸食防止用器具１１の受け部１２によってそれよりも下への垂下が阻止され、底部１３の上面を排水部１５の舌部１８に向って流れて、図１の実線状矢印（２）に示されるように、舌部１８の端部から風等を利用して主材３に対し離れた方向に飛散する。よって、雨垂れ等の水が図１の主材の一定範囲部分Ａの外面上に滴下するのを防止することが可能となり、当該図１の主材の一定範囲部分Ａの亜鉛メッキ層部分が浸食される度合を遅延できるので、主材の一定範囲部分Ａのメッキ寿命を延ばすことができる。
【００２４】
また、浸食防止用器具１１は、この実施形態では、特に図２に示されるように、傾斜部１３ａから舌部１８までの方向と交差する方向において通孔１６を経るようにして延びる分割線Ｓにおいて２つに分割されて、舌部１８を有する分割構成部品１１Ａと、傾斜部１３ａを有する分割構成部品１１Ｂとで構成されている。そして、分割構成部品１１Ａと分割構成部品１１Ｂとの組み付けは、例えば、各々に側方に突出したフランジ１０を設け、このフランジ１０、１０同士をボルト等の固定具で連結することで行なわれる。これにより、既に現地においてブラケット８を用いてのセーフティワイヤ６の張設作業が完了した送電鉄塔１であっても、分割構成部品１１Ａの分割された通孔１６の内周面と分割構成部品１１Ｂの分割された通孔１６の内周面とでセーフティワイヤ６に対しその径方向から挟持して取り付けることができる。
【００２５】
但し、浸食防止用器具１１の構造は上記したものに限定されず、単一の物であっても良く、更には図４から図６に示すような異なる構成の実施形態であっても良い。以下、図４から図８に示す実施形態について各々説明する。もっとも、送電鉄塔１の基本形態等、先の実施形態と同様の構成は同一の符号を付してその説明を省略する。
【００２６】
図４において、この発明の第２の実施形態における浸食防止用器具１１の一例が示されている。この浸食防止用器具１１は、ブラケット８の下位に配置されるもので、通孔１６が形成された底部１３と、この底部１３の一方の周縁から上方に向けて延出した側部１４とで構成された受け部１２及び、底部１３の側部１４とは反対側の周縁において、この底部１３の外側に当該底部１３よりも下方に向けて延出した舌部１８で構成された排水部１５から成っている。この浸食防止用器具１１は、例えば、図４（ｃ）に示されるように、一枚のプレート状部材２０に対して、Ｐ１として示す破線部分において谷折し、Ｐ２として示す破線部分において山折することで形成されるもので、図１等に示す先の実施形態に係る浸食防止用器具１１に比し、その製造工数が削減され、製造コストが低減される。
【００２７】
上記の構成の浸食防止用器具１１の組み付けを説明すると、図４（ａ）に示されるように、予めブラケット８に取り付けられたフックロッド９（或いはセーフティワイヤ６）に対し、浸食防止用器具１１を通孔１６により外挿した後、側部１４の頂部がブラケット８の下面に突当するまで上方にスライドさせる。そして、固定具２１を外挿して浸食防止用器具１１の下面に突当するまで上方にスライドして固定する。
【００２８】
以上によれば、セーフティワイヤ６及びフックロッド９を伝わって下降してきた雨垂れ等の水は、浸食防止用器具１１の受け部１２によってそれより下への垂下が阻止され、底部１３の上面を排水部１５の舌部１８に向って流れて、図４（ａ）の実線状矢印に示されるように、舌部１８の端部から風等を利用して主材３に対し外側に飛散する。よって、この浸食防止用器具１１の構造でも、雨垂れ等の水が先述の図１の主材の一定範囲部分Ａの外面上に滴下するのを防止することが可能となり、当該図１の主材の一定範囲部分Ａの亜鉛メッキ層部分が浸食される度合を遅延できるので、主材の一定範囲部分Ａのメッキ寿命を延ばすことができる。
【００２９】
図５及び図６において、この発明の第３の実施形態並びに第４の実施形態における浸食防止用器具１１の一例が示されている。これらの浸食防止用器具１１は、これまでのセーフティワイヤ６及びフックロッド９を雨垂れ等の水が垂下するのを途中で遮ってその水が主材に滴下するのを防止するのとは異なり、セーフティワイヤ６及びフックロッド９の下端から雨垂れ等の水が滴下するのを許容しつつその水が主材に滴下するのを防止するものである。
【００３０】
このうち、図５に示す第３の実施形態における浸食防止用器具１１は、主たる部位をなす舌部１８がブラケット８の下位に配置される。ブラケット８は、その一部に他の部位に対し相対的にその厚みの薄い部位８ａを有している。これに対し、浸食防止用器具１１は、セーフティワイヤ６及びフックロッド９の下端から滴下した水を受ける受け部としの機能をも有する曲板状の舌部１８から成る排水部１５と、この排水部１５の基端から上方に向けて延出した立板部２４とから構成された断面が略Ｊ字状のものである。そして、浸食防止用器具１１は、ブラケットの厚みの薄い部位８ａに対し係合可能なスリット孔２５が浸食防止用器具１１の排水部１５の舌部１８先端から立板部２４の上端近傍部位まで達するように直線状に形成されている。
【００３１】
上記の構成の浸食防止用器具１１の組み付けを説明すると、ブラケット８にフックロッド９（或いはセーフティワイヤ６）が予め取り付けられた状態として、浸食防止用器具１１を上方からブラケットの薄い部位８ａにスリット孔２５の開口を当てた後、下方にスリット孔２５の立板部２４側端に突当するまで外挿することで組み付けられる。
【００３２】
以上によれば、セーフティワイヤ６及びフックロッド９を伝わって下降してきた雨垂れ等の水は、フックロッド９の下端部から浸食防止用器具１１の排水部１５の舌部１８上に滴下した後、この舌部１８の曲面に従って斜め下方に向って流れて、この舌部１８の端部から風等を利用して主材３に対し外側に飛散する。よって、この浸食防止用器具１１の構造でも、雨垂れ等の水が先述の図１の主材の一定範囲部分Ａの外面上に滴下するのを防止することが可能となり、当該図１の主材の一定範囲部分Ａの亜鉛メッキ層部分が浸食される度合を遅延できるので、主材の一定範囲部分Ａのメッキ寿命を延ばすことができる。しかも、既に現地においてブラケット８を用いてのセーフティワイヤ６の張設作業が完了した送電鉄塔１であっても、浸食防止用器具１１の組み付けが可能である。
【００３３】
図６に示す第４の実施形態における浸食防止用器具１１も、主たる部位をなす舌部１８がブラケット８の下位に配置される。この浸食防止用器具１１は、セーフティワイヤ６及びフックロッド９の下端から滴下した水を受ける受け部としの機能をも有する曲板状の舌部１８から成る排水部１５と、この排水部１５の基端から上方に向けて延出した立板部２４と、ブラケット８の先端部位８ｂに装着されるキャップ部２６とから構成されている。そして、このキャップ部２６は、立板部２４側に開口してブラケット８の先端部位８ｂに外挿可能な孔と、この孔に対し交差して開口しフックロッド９が挿通される通孔とを有している。
【００３４】
上記の構成の浸食防止用器具１１の組み付けを説明すると、ブラケット８の先端部位８ｂに対しキャップ部２６を外挿し、しかる後にフックロッド９をキャップ部２６及びブラケット８の双方を貫通するように装着することで組み付けられる。
【００３５】
以上によれば、セーフティワイヤ６及びフックロッド９を伝わって垂下してきた雨垂れ等の水は、フックロッド９の下端部から浸食防止用器具１１の排水部１５の舌部１８上に滴下した後、この舌部１８の曲面に従って斜め下方に向って流れて、この舌部１８の端部から風等を利用して主材３に対し外側に飛散する。よって、この浸食防止用器具１１の構造でも、雨垂れ等の水が先述の図１の主材の一定範囲部分Ａの外面上に滴下するのを防止することが可能となり、当該図１の主材の一定範囲部分Ａの亜鉛メッキ層部分が浸食される度合を遅延できるので、主材の一定範囲部分Ａのメッキ寿命を延ばすことができる。
【００３６】
図７及び図８に示す第５の実施形態における浸食防止用器具１１は、墜落防止装置としてセーフティレール２９を用いた送電鉄塔１に対応するものである。すなわち、このセーフティレール２９は、先述のセーフティワイヤ６と同様に、例えば作業員が主材３に沿って昇降する際に、図示しない昇降器と称される金具を取り付け、この金具とロープで腰に付けた胴綱とを結び付けて、作業員の墜落を防止するためのものである。このセーフティレール２９は、この昇降機の下方における停止手段としてストッパー３０が２つのボルト３１、３１を利用して装着されている。尚、このセーフティレール２９及びストッパー３０自体は公知のものであるのでその構造に関する説明は省略する。
【００３７】
そして、この実施形態の浸食防止用器具１１は、前記ストッパー３０の一方側面に取り付けられるもので、セーフティレール２９からストッパー３０を伝わって滴下した水を受け止めて主材３に対し鉛直方向よりも外側に向けてその水を流す排水部１５と、ストッパー３０に対し直接取り付けられる支持部３２とから構成されている。
【００３８】
このうち、排水部１５は、この実施形態では、図８（ｂ）に示すように例えば厚さ１ｍｍ、直径が１０ｍｍから１５ｍｍの薄い円板状の舌部１８から構成されるもので、ステンレス製のものが採用されている。そして、この排水部１５の舌部１８は、主材３の外側に滴下した水を受けて排水可能なように、主材３側から反主材３側にかけて徐々に低くなるように傾斜している。これに対し、支持部３２は、薄い長方形状のもので、先端が曲折して排水部１５との接地部３２ａをなし、この接地部３２ａと排水部１５とは例えば電気溶接等で、ストッパー３０が排水部１５の中心に位置するように排水部１５の中心よりも外周側に固着されている。また、支持部３２の接地部３２ａとは反対側端に、前記ボルト３１、３１が挿通可能な通孔３３、３３が形成されている。これにより、浸食防止用器具１１とストッパー３０とは、支持部３２の通孔３３、３３とストッパー３０の孔とを連通した状態として、ボルト３１、３１を螺合することにより連結され、且つセーフティレール２９及びストッパー３０の鉛直方向下方に排水部１５が位置する。
【００３９】
以上によれば、セーフティレール２９及びストッパー３０を伝わって垂下してきた雨垂れ等の水は、浸食防止用器具１１の排水部１５の舌部１８上に滴下した後、この舌部１８の斜面に従って斜め下方に向って流れて、この舌部１８の端部から風等を利用して主材３に対し外側に飛散する。よって、この浸食防止用器具１１の構造でも、雨垂れ等の水が図７の主材の一定範囲部分Ａの外面上に滴下するのを防止することが可能となり、当該図７の主材の一定範囲部分Ａの亜鉛メッキ層部分が浸食される度合を遅延できるので、主材の一定範囲部分Ａのメッキ寿命を延ばすことができる。
【図面の簡単な説明】
【００４０】
【図１】図１は、この発明に係る浸食防止用器具が屋外設置型金属製建造物（送電鉄塔）のセーフティワイヤに対しブラケットの上方に取り付けられた状態を示す第１の実施形態の要部拡大図である。
【図２】図２（ａ）は、同上の浸食防止用器具の側面であり、図２（ｂ）は、同上の浸食防止用器具の側面断面図であり、図２（ｃ）は、同上の浸食防止用器具の平面図である。
【図３】図３（ａ）は、同上の浸食防止用器具を線状体（セーフティワイヤ）に装着し固定した状態を示す平面図であり、図３（ｂ）は、同上の浸食防止用器具を線状体（セーフティワイヤ）に装着し固定した状態を示す側面断面図である。
【図４】図４（ａ）は、この発明に係る浸食防止用器具が屋外設置型金属製建造物（送電鉄塔）のセーフティワイヤに対しブラケットの下方に取り付けられた状態を示す第２の実施形態の要部拡大図であり、図４（ｂ）は、同上の浸食防止用器具の組み付け状態を示す説明図であり、図４（ｃ）は、同上の浸食防止用器具の完成前の状態を示す説明図である。
【図５】図５（ａ）は、この発明に係る浸食防止用器具が屋外設置型金属製建造物（送電鉄塔）に対しブラケットに係合することで取り付けられた状態を示す第３の実施形態の要部拡大図であり、図５（ｂ）は、同上の浸食防止用器具の組み付け状態を示す説明図であり、図５（ｃ）は、同上の浸食防止用器具の単独での構成を示す説明図である。
【図６】図６（ａ）は、この発明に係る浸食防止用器具が屋外設置型金属製建造物（送電鉄塔）に対しブラケットに外挿することで取り付けられた状態を示す第４の実施形態の要部拡大図であり、図６（ｂ）は、同上の浸食防止用器具の組み付け状態を示す説明図である。
【図７】図７は、墜落防止装置としてセーフティレールを用いた場合における、この発明に係る浸食防止用器具が屋外設置型金属製建造物（送電鉄塔）に対し、その最下側のストッパーに固定された状態を示す第５の実施形態の要部拡大図である。
【図８】図８（ａ）は、同上の浸食防止用器具を側方から見た状態の拡大図、図８（ｂ）は、同上の浸食防止用器具を正面から見た状態の拡大図である。
【符号の説明】
【００４１】
１  送電鉄塔（屋外設置型金属製建造物）
３  主材
６  セーフティワイヤ（線状体）
８  ブラケット（線状体に装着される器具）
９  フックロッド（線状体）
１１  浸食防止用器具
１１Ａ  分割構成部品
１１Ｂ  分割構成部品
１２  受け部
１３  底部
１４  側部
１５  排水部
１６  通孔
１７  開口部
１８  舌部
２４  立板部
２５  スリット孔
２６  キャップ部
２９  セーフティレール（線状体）
３０  ストッパー（線状体に装着される器具）
３１  ボルト（固定具）
３２  支持部
３３  通孔
【図１】
2006009442.tif 000003
【図２】
2006009442.tif 000004
【図３】
2006009442.tif 000005
【図４】
2006009442.tif 000006
【図５】
2006009442.tif 000007
【図６】
2006009442.tif 000008
【図７】
2006009442.tif 000009
【図８】
2006009442.tif 000010